(57)【要約】      （修正有）【課題】電磁炉を加熱源とする電磁焼き装置を提供する。【解決手段】電磁炉１２と食材が収容される容器１４とを含み、前記電磁炉の上皿には前記容器が放置され、前記電磁炉の加熱コイルは、前記容器に対して加熱する。前記容器は、底板３０と前記底板の周囲から上方へ延在する側壁３２とを含む。前記容器の底板の下表面には複数の支持柱３６が設けられ、前記容器の側壁の底端には複数の位置決め片３８が下方へ延在している。前記容器が前記電磁炉に放置された場合、前記容器の底板と前記上皿との間には所定の間隔が形成され、前記複数の位置決め片が前記上皿の外周に係合され、前記容器が前記電磁炉に位置決められる。【選択図】図３
0003178705.tif 000002
【実用新案登録請求の範囲】
【請求項１】
台座と前記台座の頂部に結合された上皿とを有する電磁炉と、
食材が収容される容器とを含み、
前記容器は、前記電磁炉の上皿に着脱可能に設けられており、底板と前記底板の周囲から上方へ延在する側壁とを含み、前記容器の底板の下表面には複数の支持柱が設けられ、前記容器の側壁の底端には複数の位置決め片が下方へ延在しており、前記容器が前記電磁炉に放置された場合、前記容器の底板と前記電磁炉の上皿との間には所定の間隔が形成され、前記複数の位置決め片が前記上皿の外周に係止されることを特徴とする電磁焼き装置。
【請求項２】
前記上皿は、頂面と外周とを有し、前記外周は、前記台座の頂部から外方へ突出することで、前記上皿の外周に凸縁が形成されることを特徴とする請求項１に記載の電磁焼き装置。
【請求項３】
前記容器の底板の下表面が隅に隣接した箇所にはそれぞれ支持柱が設けられ、前記支持柱の高さは、０．３〜５ｍｍであり、前記容器の側壁の底端が隅に隣接した箇所にはそれぞれ位置決め片が設けられていることを特徴とする請求項２に記載の電磁焼き装置。
【考案の詳細な説明】
【技術分野】
【０００１】
本考案は、電磁焼き装置に関し、特に電磁炉を加熱源として利用する電磁焼き装置に関するものである。
【背景技術】
【０００２】
肉焼き活動は、一般の家庭から広く愛好されており、焼き具は、肉焼き活動に必要とされている。従来の焼き具は、一般に、内部に燃料（例えば木炭）が収容され、頂部に焼き網（又は食材挿入ロッド）が放置される炉体を含み、該焼き網の上には肉片、玉蜀黍、ソーセージ、椎茸等の食材が収容され、食材に対して燃料の燃焼火炎により加熱ベーキングを行う。しかしながら、火炎の加熱が常に不均一であるため、食材は、一部が容易に焼け焦げやすいことがある。
【０００３】
電磁炉を使用して食べ物を加熱することは、加熱が素早く、かつ加熱が均一である利点を有するが、従来の電磁炉と鍋具又は焼き皿との組み合わせ構造は、食材の焼きには不向きである。従って、一般の家庭で食べ物を焼くことができるように、電磁炉を加熱源として利用する焼き装置が要望されている。
【考案の概要】
【考案が解決しようとする課題】
【０００４】
そこで、本考案は、電磁炉を加熱源として利用することにより食材を焼くことができ、加熱が素早く、かつ加熱が均一である利点を有する電磁焼き装置を提供することを目的とする。従って、ユーザは、他の焼き具の利用を選択することができるようになる。
【課題を解決するための手段】
【０００５】
本考案に係る電磁焼き装置は、台座と前記台座の頂部に結合された上皿とを有する電磁炉と、食材が収容される容器とを含み、前記容器は、前記電磁炉の上皿に着脱可能に設けられており、底板と前記底板の周囲から上方へ延在する側壁とを含み、前記容器の底板の下表面には複数の支持柱が設けられ、前記容器の側壁の底端には複数の位置決め片が下方へ延在しており、前記容器が前記電磁炉に放置された場合、前記容器の底板と前記電磁炉の上皿との間には所定の間隔が形成され、前記複数の位置決め片が前記上皿の外周に係止されることを特徴とする電磁焼き装置。
【考案の効果】
【０００６】
本考案に係る電磁焼き装置によれば、電磁炉を加熱源として利用することにより食材を焼くするため、加熱が素早く、かつ加熱が均一である利点を有する。
【図面の簡単な説明】
【０００７】
【図１】本考案に係る第１の実施例の電磁焼き装置の立体図を示す。
【図２】図１の電磁焼き装置の分解図である。
【図３】図１の電磁焼き装置の断面図である。
【図４】図１の電磁焼き装置の他の分解図である。
【図５】本考案に係る第２の実施例の電磁焼き装置の立体図である。
【図６】図５の電磁焼き装置の断面図である。
【考案を実施するための形態】
【０００８】
図１ないし図４は、本考案に係る一実施例の電磁焼き装置１０を示す。電磁焼き装置１０は、電磁炉１２と、食材が収容される容器１４とを含む。この実施例において、容器１４は、断面が矩形状となる皿体である。他の実施例（図５、図６を参照）において、容器１４は、断面が円状となる鍋体である。
【０００９】
電磁炉１２は、台座１６と台座１６の頂部１８に結合された上皿２０とを備える。電磁炉１２の内部には、検知装置及び加熱コイル（従来技術であり、図示せず）が設けられている。台座１６の先端には制御パネル２２が設けられ、制御パネル２２の上には電磁炉１２の作動を制御するための複数の制御ボタン２４が設けられている。この実施例において、上皿２０は、セラミックスパネルからなり、断面が矩形状となっており、図５に示す実施例において、断面が円状となっている。上皿２０は、頂面２６及び外周２８を有し、外周２８が横方向において台座１６の頂部１８から外方へ突出することで、上皿２０の外周２８に凸縁が形成される。
【００１０】
容器１４は、鋳鉄、鉄又は鋼等、磁気伝導可能な金属材料からなり、食材の調理として電磁炉１２の上皿２０に着脱可能に設けられている。容器１４は、底板３０と、底板３０の周囲から上方へ延在する側壁３２とを備え、底板３０と側壁３２の間に食材を収容するための収容室３４が形成されている。容器１４の底板３０の下表面には、複数の支持柱３６が設けられている。この実施例においては、容器１４の底板３０の下表面が隅に隣接した箇所にはそれぞれ支持柱３６が設けられることで、容器１４が電磁炉１２に放置された場合、容器１４の底板３０と電磁炉１２の上皿２０との間には所定の間隔が形成され、この間隔は、０．３〜５ｍｍ（即ち支持柱３６の高さは０．３〜５ｍｍである）であるのが好ましい。これにより、電磁炉１２内部における検知装置は、容器１４を検知し電磁炉１２内部のコイルの起動を制御することができ、それと同時に、この間隔によって形成された空間は、放熱の効果として機能する。この実施例において、支持柱３６の高さが調整可能に構成されるため、この間隔は変更可能になっている。さらに、容器１４の側壁３２の底端には、複数の位置決め片３８が下方へ延在している。この実施例において、容器１４の側壁３２の底端が隅に隣接した箇所にはそれぞれ位置決め片３８が設けられており、容器１４が電磁炉１２に放置された場合、位置決め片３８が上皿２０の外周２８に係合され、これにより容器１４が電磁炉１２の上皿２０と結合され位置決められる。また、容器１４の側壁３２の両側には、把持用のハンドル４０が設けられている。
【００１１】
本考案に係る電磁焼き装置１０は、使用の際に、食材を容器１４に置くとともに、容器１４の底板３０を電磁炉１２の上皿２０に置く。電磁炉１２の電源がオンとなった後、電磁炉１２内部における検知装置は、容器１４を検知し内部の加熱コイルを導通することで、熱効果により食材を焼く。
【００１２】
本考案に係る電磁焼き装置１０は、電磁炉を加熱源として利用して食材を焼くことができるのみならず、容器１４を電磁炉１２の上皿２０に位置決めることができるため、容器１４が電磁炉１２上に移動することはない。さらに、容器１４と電磁炉１２の上皿２０との間には所定の間隔が形成されているため、放熱効果を図ることができる。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、台座と前記台座の頂部に結合された上皿とを有する電磁炉と、食材が収容される容器とを含み、前記容器は、前記電磁炉の上皿に着脱可能に設けられており、底板と前記底板の周囲から上方へ延在する側壁とを含み、前記容器の底板の下表面には複数の支持柱が設けられ、前記容器の側壁の底端には複数の位置決め片が下方へ延在しており、前記容器が前記電磁炉に放置された場合、前記容器の底板と前記電磁炉の上皿との間には所定の間隔が形成され、前記複数の位置決め片が前記上皿の外周に係止されることを特徴とする電磁焼き装置とするものである。
【００１５】
また、前記上皿は、頂面と外周とを有し、前記外周は、前記台座の頂部から外方へ突出することで、前記上皿の外周に凸縁が形成されるものとする。
【００１６】
また、前記容器の底板の下表面が隅に隣接した箇所にはそれぞれ支持柱が設けられ、前記支持柱の高さは、０．３〜５ｍｍであり、前記容器の側壁の底端が隅に隣接した箇所にはそれぞれ位置決め片が設けられているものとする。
【産業上の利用可能性】
【００１７】
本考案に係る電磁焼き装置によれば、電磁炉を加熱源として利用することにより食材を焼くするため、加熱が素早く、かつ加熱が均一である利点を有する。
【符号の説明】
【００１８】
１０  電磁焼き装置
１２  電磁炉
１４  容器
１６  台座
１８  頂部
２０  上皿
２２  制御パネル
２４  押しボタン
２６  頂面
２８  外周
３０  底板
３２  側壁
３４  収容室
３６  支持柱
３８  位置決め片
４０  ハンドル
【図１】
0003178705.tif 000003
【図２】
0003178705.tif 000004
【図３】
0003178705.tif 000005
【図４】
0003178705.tif 000006
【図５】
0003178705.tif 000007
【図６】
0003178705.tif 000008